(57)【要約】【課題】上部が下部より拡がった形の野菜を立てて収納する保冷容器において、詰め始めの際の転倒を効果的に防止でき、形状や大きさ等に対する自由度もあり、収納時の作業性を向上できるようにする。【解決手段】上方に開口する平面矩形の容器本体１０と、蓋体２０とからなる発泡樹脂製の保冷容器において、容器本体１０内の底部１１に、コーナー部１２を介して隣接する２辺の側壁１３，１４に沿って平面Ｌ形に連続して突出状をなす支持壁１５を、詰め始めの際の野菜を立て姿勢に保持できるように２辺の側壁１３，１４の内側面１３ａ、１４ａから野菜上部の拡がりに対応した距離の位置に設ける。【選択図】図１
2011031940.tif 000002
【特許請求の範囲】
【請求項１】
上方に開口する平面矩形の容器本体と、該容器本体に対し被着自在な蓋体とからなる発泡樹脂製の保冷容器であって、
容器本体内の底部には、コーナー部を介して隣接する２辺の側壁に沿って平面Ｌ形に連続して突出状をなす支持壁が設けられてなることを特徴とする保冷容器。
【請求項２】
上部が下部より拡がった形の野菜を収納する保冷容器であって、前記支持壁が、詰め始めの際の野菜を立て姿勢に保持できるように、２辺の側壁の内面から前記野菜上部の拡がりに対応した距離の位置に設けられてなる請求項１に記載の保冷容器。
【請求項３】
前記支持壁の内方側の側面が、前記２辺の側壁内面から２０〜５０ｍｍの距離の範囲にある請求項１又は２に記載の保冷容器。
【請求項４】
前記支持壁の両端が、前記２辺の側壁に隣接する側壁の内面との間に間隔を保有するように形成されてなる請求項１〜３のいずれか１項に記載の保冷容器。
【請求項５】
前記支持壁が側壁内面から間隔をおいて底部上面に突設されてなる請求項１〜４のいずれか１項に記載の保冷容器。
【請求項６】
収納対象の野菜が、上部の花蕾部分が下部の茎部に比して大きく拡がった形のブロッコリーを収納する保冷容器である請求項１〜５のいずれか１項に記載の保冷容器。
【発明の詳細な説明】
【技術分野】
【０００１】
本発明は、主にブロッコリー等の野菜の輸送、保管等の物流に使用される発泡樹脂製の保冷容器に関するものである。
【背景技術】
【０００２】
ブロッコリー等の野菜その他の農産物の輸送、保管等の物流のための保冷容器として、上方に開口した平面矩形の容器本体と、その開口端部に嵌合被着される蓋体とからなる発泡スチロール等の発泡樹脂製の容器が使用されている。
【０００３】
例えば、ブロッコリー等の野菜の場合、収穫された野菜を容器本体に収納し、収納状態のままで所定の予冷（真空予冷や差圧予冷）を行った後、収納した野菜の上に氷（砕氷）を入れて氷詰めにし、この状態で蓋体を被着して、輸送等の物流に供する。容器内の氷は経時的に溶解して水になり、容器内の底部上に溜まることになるが、収納されている野菜が水に接触したままになると、水との接触部分から傷みが生じ易くなる。特に、上部の花蕾部分や葉の部分は、下部の茎部よりも傷み易いものであり、収納する野菜は、少なくとも上部の花蕾部分や葉部分が底部に溜まる水に接触しないようにするのが望ましい。そのため、容器内の底部上に野菜を立てて収納することが行われている。
【０００４】
この際、収納する野菜を、容器本体の一つのコーナー部の内側から側壁内面に沿わせて立て姿勢を保持するように順次並べて詰め入れるが、ブロッコリーのように花蕾部分よりなる上部ｂ１が茎部等の下部ｂ２に比して大きく拡がった形の野菜Ｂの場合には、図７に略示するように、詰め始めの際に野菜Ｂを容器側壁の内面に沿わせて立てようとすると、茎部等の下部ｂ２が側壁内面に寄せられることになって花蕾部分よりなる拡がり形態の上部ｂ１が内側に傾いて転倒し易いものであり、作業性に問題がある。
【０００５】
このような問題を解消するために、例えばブロッコリー等に使用する容器として、容器本体内の底部上面に、例えばブロッコリー等の茎部を側面より支える突起部を所要間隔に突設しておいて、ブロッコリー等の茎部を突起部間に挿入して立てた状態に保持するようにしたもの（特許文献１）が提案されている。
【０００６】
しかしながら、前記の容器の場合、前記突起部間の部分にブロッコリー等の野菜の下部の茎部を挿入することになるため、不定形で大小のあるブロッコリー等に対する自由度が低く、形状や大きさ、茎部の太さ等をある程度選別して収納する必要がある上、前記突起部がかえって詰め入れの際の邪魔になる場合もある。しかも、仮に茎部を突起部間に無理やり押し込んだりすると、発泡樹脂よりなる突起部が折損したり破損することがあり、この結果、発泡樹脂の屑粉（発泡スチロール粉）がブロッコリー等の野菜に付着する虞がある。
【先行技術文献】
【特許文献】
【０００７】
【特許文献１】実開平４−２３６４４号公報
【発明の概要】
【発明が解決しようとする課題】
【０００８】
本発明は、上記の問題点を解消するためになしたものであり、主としてブロッコリー等の野菜の輸送、保管等の物流に使用する発泡樹脂製の保冷容器として、上部が下部より拡がった形の野菜を立てて収納する場合において、上部が下部より大きい野菜の形態に拘わらず詰め始めの際の転倒を効果的に防止でき、しかも形状や大きさ及び茎部の太さ等に対する自由度もあり、収納時の作業性を向上でき、また発泡樹脂の破損等の虞もなく、良好に使用できる保冷容器を提供するものである。
【課題を解決するための手段】
【０００９】
上記の課題を解決する本発明の保冷容器は、上方に開口する平面矩形の容器本体と、該容器本体に対し被着自在な蓋体とからなる発泡樹脂製の保冷容器であって、容器本体内の底部には、コーナー部を介して隣接する２辺の側壁に沿って平面Ｌ形に連続して突出状をなす支持壁が設けられてなることを特徴とする。
【００１０】
特には、上部が下部より拡がった形の野菜を収納する保冷容器であって、前記支持壁が、詰め始めの際の野菜を立て姿勢に保持できるように、前記２辺の側壁の内側面から前記野菜上部の拡がりに対応した距離の位置に設けられてなるものとする。
【００１１】
前記の保冷容器によれば、上部が下部より拡がった形のブロッコリー等の野菜を立てて収納する際、容器本体の一つのコーナー部の内側から前記支持壁に沿わせて順次並べて詰め入れるが、詰め始めの際は、野菜の下部が側壁内面側へ寄せられるのを前記支持壁により規制できて、野菜の拡がり形態の上部が支持壁を越えて側壁内面に寄り掛った状態に保持されることになり、そのため、野菜の上部が内方に傾いて転倒することなく立て姿勢に保持される。こうして、順次立て姿勢に保持した野菜に凭れさせ寄り掛けるようにして位置決め等の必要なく詰め入れることがてき、形状や大きさを選択する必要なく作業性よく最後まで容易に詰め入れることができる。
【００１２】
前記の保冷容器において、前記支持壁の内方側の側面が、前記２辺の側壁の内側面から２０〜５０ｍｍの距離の範囲にあるものとする。
【００１３】
前記保冷容器において、前記支持壁の両端が、前記２辺の側壁に隣接する側壁の内側面との間に間隔を保有するように形成されてなるものとするのが好ましい。この場合、前記支持壁の端部が位置するコーナー部で野菜を詰め入れる際に、前記支持壁が邪魔になる虞がない。
【００１４】
前記の保冷容器の前記支持壁が側壁内面から間隔をおいて底部上面に突設されてなるものが、使用樹脂量を少なくして前記の同様の効果を奏するものとなる。
【００１５】
前記保冷容器としては、収納対象の野菜が、上部の花蕾部分が下部の茎部に比して大きく拡がった形のブロッコリーを収納する保冷容器であるものにおいて好適に実施できる。
【発明の効果】
【００１６】
本発明の保冷容器によれば、主としてブロッコリー等の野菜の輸送、保管等の物流に使用する発泡樹脂製の保冷容器として、花蕾部分等の上部が茎部等の下部に比して大きく拡がった形のブロッコリー等の野菜を立てて収納する場合において、詰め始めの際の野菜の転倒を防止できて、しかも、野菜の形状や大きさ、下部の茎部の太さ等に対する自由度があって選択の必要がなく、収納時の作業性を向上できる。また、従来のようにブロッコリー等を無理やり押し込むことによる突起部の破損等の虞がなく、発泡樹脂の屑粉が野菜に付着するおそれもない。
【図面の簡単な説明】
【００１７】
【図１】本発明の保冷容器の実施例を示す容器本体と蓋体の分離した斜視図である。
【図２】容器本体の平面図である。
【図３】蓋体の裏返して底面を示す平面図である。
【図４】図２のＡ−Ａ線での容器本体と蓋体の断面図である。
【図５】蓋体の下面側の一部の拡大斜視図である。
【図６】同上の容器の野菜の詰め始め時の断面説明図である。
【図７】従来の容器の野菜の詰め始め時の断面説明図である。
【発明を実施するための形態】
【００１８】
次に本発明の実施の形態を図面に示す実施例に基づいて説明する。
【００１９】
この実施例の容器は、発泡ポリスチレン等の発泡樹脂を素材として成形された保冷容器であって、上方に開口する平面矩形の容器本体１０と、該容器本体１０に対し被着自在な蓋体２０とよりなり、ブロッコリー等の野菜を立て姿勢に保持して収納できる深さに形成されている。
【００２０】
前記容器本体１０の底部１１には、一つのコーナー部１２を介して隣接する長辺と短辺の２辺の側壁１３，１４に沿って平面Ｌ形に連続して突出状をなす支持壁１５が設けられている。特に、この支持壁１５は、上部ｂ１が下部ｂ２より拡がった形の野菜、例えば花蕾部分よりなる上部ｂ１が茎部よりなる下部ｂ２に比して大きく拡がった形のブロッコリー等の野菜Ｂを収納する場合において、詰め始めの際に該野菜Ｂを立て姿勢に保持できるように、２辺の側壁１３，１４の内側面１３ａ，１４ａから前記野菜Ｂの上部ｂ１の拡がりに対応した距離の位置に設けられている。
【００２１】
前記支持壁１５は、前記側壁１３，１４の内側面１３ａ，１４ａと、底部１１の上面１１ａとの双方に連続して段状をなすように突設しておくものであってもよいが、実施上は、図のように側壁１３，１４の内側面１３ａ，１４ａとの間に間隔をあけて、やや内方の底部上面１１ａに突設しておくのが、支持壁１５自体がある程度の弾性変形を許容できることになり、また使用樹脂量も少なくて済み好ましい。この場合、前記支持壁１５の厚みは１０〜３０ｍｍとする。この厚みが薄くなりすぎると折損しやすく、厚くなりすぎると使用樹脂量が多くコスト高になる。
【００２２】
いずれにしても、前記２辺の側壁１３，１４の内側面１３ａ，１４ａから前記支持壁１５の内側面１５ａまでの距離Ｌ１は、収納対象の野菜Ｂの上部ｂ１の拡がり形態に応じて適宜設定できるが、通常、野菜Ｂの下部ｂ２に対する上部ｂ１の拡がり量よりやや大きくなるように設定する。例えば、ブロッコリーの輸送に使用する保冷容器の場合、前記距離Ｌ１は２０〜５０ｍｍの範囲に設定する。
【００２３】
また、前記支持壁１５の高さＨは、収納対象の野菜Ｂの拡がり形態の上部ｂ１の下端位置までの高さに応じて、該上部ｂ１より下方位置の範囲で、茎部等の下部ｂ２が側壁内面側に寄せられるのを規制できるように適宜設定できるが、実施上は、前記上部ｂ１の高さよりやや低く、例えば５〜１０ｍｍ程度低く設定して、立て姿勢の野菜Ｂの上部ｂ１を係止できるように形成しておくのが好ましい。
【００２４】
前記支持壁１５は、平面Ｌ形の両辺部分の両端１５ｂが、前記２辺の側壁１３，１４に隣接する短辺側の側壁１４及び長辺側の側壁１３の内面に連続しているものであってもよいが、実施上は、図のように前記２辺の側壁１３，１４に隣接する側壁１４，１３の内面との間に間隔を保有するように形成しておくのが、前記最小のコーナー部以外のコーナー部におけるブロッコリー等の野菜の詰め入れの際に邪魔になる突起部を有さないことになり、作業性をさらに向上でき好ましい。
【００２５】
図示する実施例の保冷容器において、容器本体１０の側壁上端部による開口端部１０ａに対する前記蓋体２０の嵌合による被着構造として、容器本体１０の開口端部１０ａと蓋体２０の周縁部２１の下面とに、全周にわたって連続して互いに嵌合する凸条縁１６と凹条溝２２による嵌合構造が設けられている。
【００２６】
図の場合、前記容器本体１０の開口端部１０ａは、各辺の長さ方向中央部が落とし込み形成されるとともに、該落とし込み部１７を含む全周に渡って外側の約半部が切欠されることにより切欠段部１８が形成され、該切欠段部１８より内側の約半部が前記凸状縁１６として形成されている。一方、前記蓋体２０はの周縁部２１の下面には、蓋体被着状態において前記開口端部１０ａの落とし込み部１７に対応する中央部分２６を含む全周によたり前記凸条縁１６の外側の切欠段部１８に嵌合する外側壁部２３を有する凹条溝２２が設けられている。この凹条溝２２の内側壁部２４は、前記落とし込み部１７に対応する部分２６で凹条溝２２の底面と同一面をなし、他の部分でのみ凸状縁１６の内側に嵌合するように形成されているが、該内側壁部２４を落とし込み部１７の部分でも凸状縁１６の内側に嵌合するように形成しておくことができる。
【００２７】
なお、容器本体１０に蓋体２０を被着した状態での通気性を確保するために、前記蓋体２０の各コーナー部の凹条溝２２の部分に、内側壁部２４の下端から凹条溝２２の内面を経て外側壁部２３の下端外面に通じる通気用溝２５が形成されている。
【００２８】
前記容器本体１０及び蓋体２０の構成材である発泡樹脂としては、スチレン改質ポリオレフィン系樹脂、ポリスチレン、ハイインパクトポリスチレン、スチレン−エチレン共重合体、スチレン−無水マレイン酸共重合体、スチレン−アクリロニトリル共重合体等のポリスチレン系樹脂、ポリエチレン、ポリプロピレン、エチレン−酢酸ビニル共重合体等のポリオレフィン系樹脂、ポリエチレンテレフタレート等のポリエステル系樹脂等の各種合成樹脂の発泡体を用いることができる。中でも、スチレン改質ポリオレフィン系樹脂のビーズ発泡体による成形体が好適に用いられる。スチレン改質ポリオレフィン系樹脂は、ポリオレフィン系樹脂粒子にスチレン系単量体を含浸重合させて得られるものであり、スチレン改質ポリオレフィン系樹脂の中でも、スチレン改質ポリエチレン樹脂が好ましく、例えば、スチレン成分の割合は４０〜９０重量％、好ましくは５０〜８５重量％、さらに好ましくは５５〜７５重量％のものが用いられる。また、前記発泡体の発泡倍率は１０〜７０倍が好ましい。
【００２９】
スチレン改質ポリオレフィン系樹脂のビーズ発泡体の成形品は、同じ発泡倍率のポリプロピレン系樹脂ビーズの成形品に比べて強度があり、また、深さが５００ｍｍを越える容器を成形した場合の収縮率が低く寸法精度もよい。さらに、スチレン系樹脂ビーズの発泡成形品に比べて擦れによる粉が出難い長所もある。
【００３０】
上記のように構成された本発明の保冷容器を、ブロッコリー等の野菜の輸送、保管等の物流に使用する場合において、容器本体１０内に上部が下部より拡がった形の収納対象ブロッコリー等の野菜Ｂを立てて収納する際、通常、容器本体１０の一つのコーナー部１２の内側から隣接する長短２辺の側壁１３，１４に沿わせるように順次並べて詰め入れるが、該側壁１３，１４の内側に沿って平面Ｌ形の前記支持壁１５が設けられているので、図６のように前記野菜Ｂの下部（茎部）ｂ２を該支持壁１５に沿わせるようにすることにより、詰め始めの際に野菜Ｂの下部ｂ２が側壁内面側へ寄せられるのを前記支持壁１５により規制でき、野菜の拡がり形態の上部が支持壁を越えて側壁内面に寄り掛った状態に保持されることになり、そのため、野菜の上部が内方に傾いて転倒することなく立て姿勢に保持される。こうして、順次立て姿勢に保持した野菜に凭れさせるようにして位置決め等の必要なく詰め入れることができ、形状や大きさを選択する必要なく作業性よく最後まで容易に詰め入れることができる。また、詰め入れ作業が容易で余分突起部を有さないため発泡樹脂の破損等の虞もなく、良好に使用できる。
【産業上の利用可能性】
【００３１】
本発明の発泡樹脂製の容器は、上部が下部に比して拡がった形のブロッコリー等の野菜の輸送、保管等の物流に好適に使用できるほか、各種の農産物の輸送用のコンテナとして使用することもできる。
【符号の説明】
【００３２】
１０…容器本体、１０ａ…開口端部、１１…底部、１１ａ…上面、１２…コーナー部、１３…長辺側の側壁、１４…短辺側の側壁、１３ａ，１４ａ…内側面、１５…支持壁、１５ａ…内側面、１５ｂ…両端、１６…凸状縁、１７…落とし込み部、１８…切欠段部、２０…蓋体、２１…周縁部、２２…凹条溝、２３…外側壁部、２４…内側壁部、２５…通気用溝、Ｂ…野菜、ｂ１…上部、ｂ２…下部、Ｈ…支持壁の高さ、Ｌ１…側壁の内側面から支持壁の内側面までの距離。
【図１】
2011031940.tif 000003
【図２】
2011031940.tif 000004
【図３】
2011031940.tif 000005
【図４】
2011031940.tif 000006
【図５】
2011031940.tif 000007
【図６】
2011031940.tif 000008
【図７】
2011031940.tif 000009